(57)【要約】【課題】自らの足の爪を容易に研削することが可能な爪研削自助具を提供する。【解決手段】爪研削自助具１は、第１の棒状部材１０と、第２の棒状部材２０と、第１の棒状部材１０および第２の棒状部材２０を連結する連結具４０と、第１の棒状部材１０の一端に取り付けられた爪研削機３０とを備える。連結具４０は、第１の棒状部材１０の長手方向に延びる第１の軸の周りで第１の棒状部材１０を回転可能に保持するとともに、第２の棒状部材２０を第１の軸に交差する第２の軸の周りで回転可能かつ第１の軸および第２の軸に交差する第３の軸の周りで回転可能に保持するように構成される。【選択図】図１
0003228131.tif 000002
【実用新案登録請求の範囲】
【請求項１】
第１の棒状部材と、
第２の棒状部材と、
前記第１の棒状部材および前記第２の棒状部材を連結する連結具と、
前記第１の棒状部材の一端に取り付けられた爪研削機とを備え、
前記連結具は、前記第１の棒状部材の長手方向に延びる第１の軸の周りで前記第１の棒状部材を回転可能に保持するとともに、前記第２の棒状部材を前記第１の軸に交差する第２の軸の周りで回転可能かつ前記第１の軸および前記第２の軸に交差する第３の軸の周りで回転可能に保持する、爪研削自助具。
【請求項２】
前記連結具は、
前記第２の棒状部材を保持する取付保持部と、
前記取付保持部に対して前記第２の軸の周りで揺動可能に支持される揺動部材と、
前記第１の棒状部材を前記第１の軸の周りで回転可能に保持するとともに前記揺動部材に対して前記第３の軸の周りで回転可能に取り付けられた回転保持部とを含む、請求項１に記載の爪研削自助具。
【請求項３】
前記第１および前記第２の棒状部材のうち少なくとも一方は、伸縮可能に構成された、請求項１または２に記載の爪研削自助具。
【請求項４】
前記爪研削機と同じ側における前記第２の棒状部材の一端に弾性部材が設けられた、請求項１〜３のいずれか一項に記載の爪研削自助具。
【請求項５】
前記爪研削機の研削刃を含む領域を撮像するカメラをさらに備えた、請求項１〜４のいずれか一項に記載の爪研削自助具。
【考案の詳細な説明】
【技術分野】
【０００１】
本考案は、爪研削自助具に関する。
【背景技術】
【０００２】
自ら足の爪を切る動作を補助するための種々の道具が考案されている。特許文献１には、爪切り具に取り付けられる爪切り操作補助具が記載されている。特許文献１の爪切り操作補助具は、一対の挟持部を有する。一対の挟持部からそれぞれ一体的に延びる一対の把持柄が設けられる。一対の挟持部は、ボルトおよびナットにより連結される。一対の挟持部のうち一方の挟持部には、爪切り具の刃板が嵌合される。一対の挟持部のうち他方の挟持部には、爪切り具の梃子板が取り付けられる。
【先行技術文献】
【特許文献】
【０００３】
【特許文献１】実用新案登録第３１３０６７０号公報
【考案の概要】
【考案が解決しようとする課題】
【０００４】
特許文献１の爪切り補助具を使用して足の爪を切る際、使用者は、一対の把持柄を開閉動作させることにより、挟持部に連結された梃子板を押圧させて爪切り操作を行う。
【０００５】
この場合、使用者は、爪切り具を足の爪に適切な向きで位置させるために、身体の種々の関節を曲げて爪切り操作補助具を使用する必要がある。しかしながら、足の付け根の股関節または膝関節を曲げることが困難な人においては、爪切り具を足の爪に適切な向きで位置させることは容易ではない。
【０００６】
本考案の目的は、自らの足の爪を容易に研削することが可能な爪研削自助具を提供することである。
【課題を解決するための手段】
【０００７】
（１）本考案に係る爪研削自助具においては、第１の棒状部材と、第２の棒状部材と、第１の棒状部材および第２の棒状部材を連結する連結具と、第１の棒状部材の一端に取り付けられた爪研削機とを備え、連結具は、第１の棒状部材の長手方向に延びる第１の軸の周りで第１の棒状部材を回転可能に保持するとともに、第２の棒状部材を第１の軸に交差する第２の軸の周りで回転可能かつ第１の軸および第２の軸に交差する第３の軸の周りで回転可能に保持するように構成される。
【０００８】
その爪研削自助具によれば、第１の棒状部材は、第１の軸の周りで回転可能であるとともに、第２の棒状部材に対して第２の軸の周りおよび第３の軸の周りで回転可能である。使用者は、一方の手で第２の棒状部材の他端を把持し、第２の棒状部材の一端を足の甲に対して当接および固定させる。この状態で、使用者は、他方の手で第１の棒状部材の他端を第２の軸の周りおよび第３の軸の周りで揺動させることにより、第１の棒状部材の一端に取り付けられた爪研削機を左右および上下に移動させる。また、使用者は、第１の棒状部材の他端を第１の軸の周りで回転させることにより、爪研削機を左右に傾斜させる。それにより、使用者は、身体の種々の関節を曲げることなく、手が届かない足の爪に爪研削機を位置させることができる。その結果、使用者は、足の爪を容易に研削することが可能になる。
【０００９】
（２）連結具は、第２の棒状部材を保持する取付保持部と、取付保持部に対して第２の軸の周りで揺動可能に支持される揺動部材と、第１の棒状部材を第１の軸の周りで回転可能に保持するとともに揺動部材に対して第３の軸の周りで回転可能に取り付けられた回転保持部とを含んでもよい。
【００１０】
この場合、連結具の簡単な構成で、第１の棒状部材が第１の軸の周りで回転可能になるとともに、第２の棒状部材に対して第２の軸の周りおよび第３の軸の周りで回転可能になる。したがって、爪研削自助具の部品コストおよび製造コストが低減される。
【００１１】
（３）第１および第２の棒状部材のうち少なくとも一方は、伸縮可能に構成されてもよい。この場合、使用者の体形に応じて、第１および第２の棒状部材のうち少なくとも一方の長さを調整することができる。それにより、爪研削自助具の操作性が向上する。また、爪研削自助具を不使用時にコンパクトにすることができる。
【００１２】
（４）爪研削機と同じ側における第２の棒状部材の一端に弾性部材が設けられてもよい。この場合、弾性部材が足の甲に当接する。それにより、使用者が足の甲に良好な感触を受けつつ第２の棒状部材を確実に足の甲に固定することができる。
【００１３】
（５）爪研削自助具は、爪研削機の研削刃を含む領域を撮像するカメラをさらに備えてもよい。この場合、使用者は、カメラにより得られた映像により研削機の研削刃と足の爪との位置関係を確認しながら爪研削機自助具を操作することができる。その結果、使用者は、爪研削機の研削刃を足の爪の適切な位置に容易に移動させることができる。
【考案の効果】
【００１４】
本考案によれば、自らの足の爪を容易に研削することが可能になる。
【図面の簡単な説明】
【００１５】
【図１】一実施の形態に係る爪研削自助具の模式的側面図である。
【図２】図１の連結具の模式的正面図である。
【図３】図１の連結具の模式的側面図である。
【図４】図１の連結具の模式的側面図である。
【図５】図１の爪研削自助具の操作方法を示す模式的斜視図である。
【図６】図１の爪研削自助具の操作方法を示す模式的斜視図である。
【図７】図１の爪研削自助具の操作方法を示す模式的側面図である。
【図８】図１の爪研削自助具の操作方法を示す模式的平面図である。
【図９】図１の爪研削自助具の使用例を示す模式的斜視図である。
【図１０】他の実施の形態に係る爪研削自助具の模式的側面図である。
【考案を実施するための形態】
【００１６】
以下、本考案の実施の形態に係る爪研削自助具について図面を参照しながら詳細に説明する。
【００１７】
（１）一実施の形態
図１は、一実施の形態に係る爪研削自助具の模式的側面図である。爪研削自助具１は、第１の棒状部材１０、第２の棒状部材２０、爪研削機３０および連結具４０を備える。第１の棒状部材１０は、小径部１３、大径部１４および伸縮用連結部１５を含む。第２の棒状部材２０は、小径部２３、大径部２４および伸縮用連結部２５を含む。伸縮用連結部１５，２５は、略円筒形状を有する。以下、第１の棒状部材１０および第２の棒状部材２０の一端を前端と呼び、他端を後端と呼ぶ。
【００１８】
第１の棒状部材１０および第２の棒状部材２０は、それぞれ伸縮可能に構成される。具体的には、小径部１３は、大径部１４内に収容可能になるように構成される。伸縮用連結部１５は、小径部１３と大径部１４とをスライド可能かつ固定可能に連結する。同様に、小径部２３は、大径部２４内に収容可能になるように構成される。伸縮用連結部２５は、小径部２３と大径部２４とをスライド可能かつ固定可能に連結する。それにより、第１の棒状部材１０および第２の棒状部材２０が伸縮可能かつ固定可能となる。第１の棒状部材１０および第２の棒状部材２０として、例えば、いわゆる「突っ張り棒」を用いることができる。
【００１９】
第１の棒状部材１０の前端には、弾性部材１１が設けられ、第１の棒状部材１０の後端には、弾性部材１２が設けられる。同様に、第２の棒状部材２０の前端には、弾性部材２１が設けられ、第２の棒状部材２０の後端には、弾性部材２２が設けられる。なお、弾性部材１２，２１，２２は、設けられなくてもよい。
【００２０】
第１の棒状部材１０の前端近傍には、取付具３１を介して爪研削機３０が取り付けられる。爪研削機３０は、電動の爪研削機である。爪研削機３０の前端には、研削刃３２が設けられる。第１の棒状部材１０および第２の棒状部材２０は、連結具４０により互いに連結される。連結具４０は、取付保持部４１、揺動部材４２および回転保持部４３を含む。
【００２１】
図２は、図１の連結具４０の模式的正面図である。図３および図４は、図１の連結具４０の模式的側面図である。ここで、第１の棒状部材１０の軸方向に延びる軸を第１の軸Ａ１と呼ぶ。また、第１の軸Ａ１に交差する軸を第２の軸Ａ２と呼ぶ。さらに、第１の軸Ａ１および第２の軸Ａ２に交差する軸を第３の軸Ａ３と呼ぶ。
【００２２】
図２において、取付保持部４１は、第２の棒状部材２０を保持する。揺動部材４２は、第２の軸Ａ２の方向に延びる軸部材により取付保持部４１に支持される。それにより、揺動部材４２は、図２および図３に矢印ａ２で示すように、取付保持部４１に対して、第２の軸Ａ２の周りで揺動可能に支持される。
【００２３】
回転保持部４３は、第３の軸Ａ３の方向に延びる軸部材により揺動部材４２に取り付けられる。それにより、回転保持部４３は、図２〜図４に矢印ａ３で示すように、揺動部材４２に対して、第３の軸Ａ３の周りで回転可能に支持される。取付保持部４１は、図２および図３に矢印ａ１で示すように、第１の棒状部材１０を第１の軸Ａ１の周りで回転可能に保持する。
【００２４】
このような構成により、連結具４０は、第１の棒状部材１０を第１の軸Ａ１の周りで回転可能に保持するとともに、第２の棒状部材２０を第１の棒状部材１０に対して第２の軸Ａ２の周りで回転可能かつ第３の軸Ａ３の周りで回転可能に保持する。
【００２５】
図５および図６は、図１の爪研削自助具１の操作方法を示す模式的斜視図である。図５および図６に矢印ａ３で示すように、第１の棒状部材１０が回転保持部４３に対して第１の軸Ａ１の周りで回転可能である。それにより、使用者は、図５に矢印ａ４で示すように、爪研削機３０を第１の軸Ａ１の周りで右方に傾斜させることができる。また、使用者は、図６に矢印ａ５で示すように、爪研削機３０を第１の軸Ａ１の周りで左方に傾斜させることができる。
【００２６】
図７は、図１の爪研削自助具１の操作方法を示す模式的側面図である。図７に矢印ａ１で示すように、揺動部材４２は取付保持部４１に対して第２の軸Ａ２の周りで揺動可能である。そのため、使用者は、第１の棒状部材１０を第２の棒状部材２０に対して第２の軸Ａ２の周りで矢印ａ７で示すように揺動させることができる。それにより、使用者は、爪研削機３０を第２の軸Ａ２に垂直な面内で矢印ａ８で示すように揺動させることができる。図７の例では、爪研削機３０が上下動可能である。
【００２７】
図８は、図１の爪研削自助具１の操作方法を示す模式的平面図である。回転保持部４３は、図８に矢印ａ２で示すように、揺動部材４２に対して第３の軸Ａ３の周りで回転可能である。そのため、使用者は、第１の棒状部材１０を第２の棒状部材２０に対して第３の軸Ａ３の周りで矢印ａ９で示すように揺動させることができる。それにより、使用者は、爪研削機３０を第３の軸Ａ３に垂直な面内で矢印ａ１０で示すように揺動させることができる。図８の例では、爪研削機３０が左右に移動可能である。
【００２８】
図９は、図１の爪研削自助具１の使用例を示す模式的斜視図である。使用者は、爪研削自助具１の第２の棒状部材２０の後端近傍を一方の手で把持し、第２の棒状部材２０の前端の弾性部材２１を足１００の甲１０１に当接させる。それにより、第２の棒状部材２０が足１００の甲１０１に対して固定される。この状態で、使用者は、第１の棒状部材１０の後端近傍を他方の手で保持し、第１の棒状部材１０の後端を図７および図８に示したように上下および左右に揺動させる。それにより、第１の棒状部材１０が第１の軸Ａ１の周りで回転されることにより、爪研削機３０の研削刃３２が爪１０２の先端に接触される。
【００２９】
この場合、使用者は、身体の種々の関節を曲げることなく、手が届かない足１００の爪１０２に爪研削機３０を位置させることができる。この状態で、爪研削機３０の電源スイッチをオンすることにより、爪１０２を研削することができる。その結果、使用者は、足１００の爪１０２を容易に研削することが可能になる。
【００３０】
本実施の形態では、使用者は、第２の棒状部材２０の前端に設けられた弾性部材２１を足１００の甲１０１に対して当接および固定させる。それにより、使用者が足１００の甲１０１に良好な感触を受けつつ第２の棒状部材２０を確実に固定することができる。
【００３１】
また、本実施の形態では、取付保持部４１、揺動部材４２および回転保持部４３により構成される連結具４０の簡単な構成により、第１の棒状部材１０が第１の軸Ａ１の周りで回転可能になるとともに第２の棒状部材２０に対して第２の軸Ａ２の周りおよび第３の軸Ａ３の周りで回転可能になる。したがって、爪研削自助具１の部品コストおよび製造コストが低減される。
【００３２】
さらに、本実施の形態では、使用者の体形に応じて第１の棒状部材１０および第２の棒状部材２０の長さを調整することができる。それにより、爪研削自助具１の操作性が向上する。また、爪研削自助具１を不使用時にコンパクトにすることができる。
【００３３】
（２）他の実施の形態
（ａ）図１０は、他の実施の形態に係る爪研削自助具の模式的側面図である。図１０の爪研削自助具１ａが図１の爪研削自助具１と異なる点は、以下である。図１０の爪研削自助具１ａは、カメラ５０をさらに備える。図１０に示すように、カメラ５０は、爪研削機３０の研削刃３２を含む領域Ｒを撮像可能になるように設けられる。本実施の形態では、カメラ５０は、爪研削機３０の上部に取り付けられるが、カメラ５０が爪研削自助具１ａの他の部分に取り付けられてもよい。例えば、カメラ５０が爪研削機３０の側面に取り付けられてもよく、取付具３１に取付られてもよく、第１の棒状部材１０に取り付けられてもよい。カメラ５０により得られた映像は、例えば近距離無線により接続されるディスプレイ６０に表示される。カメラ５０とディスプレイ６０とは、ケーブル等の有線により接続されてもよい。
【００３４】
この場合、使用者は、ディスプレイ６０に表示された映像により、爪研削機３０の研削刃３２と足１００の爪１０２との位置関係を確認しながら爪研削自助具１ａを操作することができる。その結果、爪研削機３０の研削刃３２を足１００の爪１０２の適切な位置に容易に移動させることができる。
【００３５】
（ｂ）上記実施の形態では、連結具４０は、取付保持部４１、揺動部材４２および回転保持部４３により構成されるが、本発明はこれに限定されない。連結具４０には、取付保持部４１および揺動部材４２の代わりに例えばボールジョイントが用いられてもよい。この場合、ボールジョイントにより第１の棒状部材１０が第２の棒状部材２０に対して第２の軸Ａ２および第３の軸Ａ３を含む任意の軸の周りで回転可能に支持される。
【００３６】
（ｃ）上記実施の形態では、第１の棒状部材１０および第２の棒状部材２０は、伸縮可能に構成されるが、本発明はこれに限定されない。第１の棒状部材１０および第２の棒状部材２０のうち少なくとも一方が伸縮可能に構成されてもよい。
【００３７】
（ｄ）上記実施の形態では、第２の棒状部材２０の一端に弾性部材２１が設けられるが、本発明はこれに限定されない。弾性部材２１が設けられなくてもよい。
【符号の説明】
【００３８】
１，１ａ…爪研削自助具，１０…第１の棒状部材，１１…弾性部材，１２…弾性部材，１３…小径部，１４…大径部，１５…伸縮用連結部，２０…第２の棒状部材，２１…弾性部材，２２…弾性部材，２３…小径部，２４…大径部，２５…伸縮用連結部，３０…爪研削機，３１…取付具，３２…研削刃，４０…連結具，４１…取付保持部，４２…揺動部材，４３…回転保持部，５０…カメラ，６０…ディスプレイ，１００…足，１０１…甲，１０２…爪，Ａ１…第１の軸，Ａ２…第２の軸，Ａ３…第３の軸
【図１】
0003228131.tif 000003
【図２】
0003228131.tif 000004
【図３】
0003228131.tif 000005
【図４】
0003228131.tif 000006
【図５】
0003228131.tif 000007
【図６】
0003228131.tif 000008
【図７】
0003228131.tif 000009
【図８】
0003228131.tif 000010
【図９】
0003228131.tif 000011
【図１０】
0003228131.tif 000012